(57)【要約】　　　（修正有）【課題】ネスティング構造のコンテナの側壁に表示面積の大きい表示カードを取り付け、そのままコンテナ同士を多段に積み重ね可能とする。【解決手段】ネスティング構造のコンテナ１を、その側壁１２に上部フランジ部１４から底部に亘って内方に凹んでカード差し２挿入用間隙を画成する凹面部１７を設け、この凹面部上方のフランジ部下部にカード差しの上部が係合する取り付け部を、当該凹面部下部にカード差し下部が係合する取り付け部をそれぞれ設けて構成し、さらに前記取り付け部に上下両部が係合したカード差しが、凹面部側に反りかえった形状に保形されて取り付けられるように設ける。【選択図】　　　　図１
2004091027.tif 000002
【特許請求の範囲】
【請求項１】
ネスティング可能に形成されたコンテナの側壁にカード差しを取り付ける構造において、
前記コンテナを、その側壁に上部フランジ部から底部に亘って内方に凹んでカード差し挿入用間隙を画成する凹面部を設け、この凹面部上方のフランジ部下部にカード差しの上部が係合する取り付け部を、当該凹面部下部にカード差し下部が係合する取り付け部をそれぞれ設けて構成し、
前記取り付け部に上下両部が係合したカード差しが凹面部側に反りかえった形状に保形されて取り付けられるようにしたことを特徴とするコンテナのカード差し取り付け構造。
【発明の詳細な説明】
【０００１】
【発明の属する技術分野】
本発明は、部品や製品など各種物品の保管や運搬に使用されるコンテナに、収納物品に関する必要な情報を記入した表示カードを支持するためのカード差しを取り付ける構造に関する。
【０００２】
【従来の技術】
コンテナを能率良く使用するために利用される表示カードは、直接コンテナに貼り付けたのでは収納物品や管理情報などが変わる度に従前のものを引き剥がして最新のものに貼り付け直す手間がかかってしまうため、コンテナ外面に一体に設置されたカード差しを介してコンテナの側壁に取り付けられている（例えば特許文献１参照）。
【０００３】
【特許文献１】
実公平２−３１３８３号公報（第１図）
【０００４】
【発明が解決しようとする課題】
しかし、図７に示されるような、嵩高な物品の収納に適した深底のものでネスティング可能に形成されたコンテナ７１の場合には、側壁７２の外面にカード差しが突出して設置されていると、空箱時に上面開口内に同形コンテナを嵌め込んで積み重ねたときに、カード差しが側壁内面に当たって真っ直ぐ積み重ねることができなかったりカード差しが変形して壊れたりしてしまう。そのため、図８に示されるように、積み重ねたときに側壁７２同士が重ならないリブ７３の高さの範囲内で幅の狭いカード差しを設置して、ここに表示面積の小さな表示カード７４を取り付けるようにしており、大きな表示面積の表示カードを取り付けることができなかった。表示カードは、その表面に記入された情報を容易に視認することができるよう、表示面積の大きいものをコンテナ側壁の見やすい位置に取り付けることが好ましいが、このようなネスティング構造のコンテナ７１では、表示カード７４の取り付けスペースが制限されて小さな表示カードを用いなければならず、記入情報が読み取り難い状況を許容せざるを得ないという問題があった。
【０００５】
本発明は従来技術の有するこのような問題点に鑑み、ネスティング構造のコンテナの側壁に表示面積の大きい表示カードを取り付け、そのままコンテナ同士を多段に積み重ねることができるようにすることを課題とする。
【０００６】
【課題を解決するための手段】
前記課題を解決するため本発明は、ネスティング可能に形成されたコンテナの側壁にカード差しを取り付ける構造において、前記コンテナを、その側壁に上部フランジ部から底部に亘って内方に凹んでカード差し挿入用間隙を画成する凹面部を設け、この凹面部上方のフランジ部下部にカード差しの上部が係合する取り付け部を、当該凹面部下部にカード差し下部が係合する取り付け部をそれぞれ設けて構成し、前記取り付け部にその上下両部が係合したカード差しが凹面部側に反りかえった形状に保形されて取り付けられるようにしたことを特徴とする。
これによれば、カード差しは凹面部側に反りかえり同部表面に押し付けられて挿入用間隙内に納まるので、側壁表面にカード差しや表示カードが突出するようなことがなく、カード差し及び表示カードをコンテナに取り付けたままでネスティングが可能となる。従って、リブの高さよりも大きい凹面部内に取り付け可能な大きさの表示カードを使用することが可能となり、ネスティング構造のコンテナに取り付けて使用される表示カードの視認性が向上する。
【０００７】
【発明の実施の形態】
本発明の好適な実施の形態を図面を参照して説明する。
図１は本発明を適用してコンテナに取り付けたカード差しに表示カードを差し入れた状態の外観図、図２は図１のコンテナの外観図、図３はコンテナフランジ部に設けた取り付け部の部分拡大切断端面図、図４は図１のカード差しの外観図、図５はカード差しの拡大縦断面図、図６はコンテナの側壁にカード差しを取り付けた状態を拡大断面で示した図であり、図中、符号１は本発明が適用されるコンテナ、２はカード差し、３は表示カードである。
【０００８】
コンテナ１は、図１及び図２に示されるように、平面視略矩形の底部１１の周囲に側壁１２を斜め上方へ拡開しつつ適宜な高さに立ち上げて上面を開口部１３とした有底箱型に形成されている。側壁１２は短手辺側壁１２ａ、１２ａと長手辺側壁１２ｂ、１２ｂからなり、各側壁の上部は水平に適宜な幅張り出していて縁部が下折れしたフランジ部１４となっており、短手辺側壁１２ａ、１２ａの上部にはコ字状に屈曲した載置バー１５、１５をそれぞれフランジ部１４の両側面に回動自在に支持して取り付けてある。また、長手辺側壁１２ｂ、１２ｂの上部両角部近傍には、フランジ部１４の下側から鉛直下方に伸びた、側壁１２の全高の１／４程度の高さのリブ１６が配置してある。
このような構成によりコンテナ１は、載置バー１５、１５を開口部１３側に回動させて長手辺側壁１２ｂ、１２ｂのフランジ部１４の上面に載せた状態でその上に他のコンテナ１を積み上げることができ、また、空箱時に載置バー１５、１５を短手辺側壁１２ａ、１２ａの両側に回動させた状態で開口部１３内に他のコンテナ１を嵌め込み、上側コンテナ１のリブ１６の下端が下側コンテナ１のフランジ部１４の上面に当接する深さまで没入させて積み重ねることができるようになっている。
【０００９】
また、コンテナ１の長手辺側壁１２ｂ、１２ｂには、フランジ部１４から底部１１に亘って内方に凹ませた凹面部１７が設けてある。
詳しくは、この凹面部１７は、図６に示されるように、底部１１に対する交差角度θ１を長手辺側壁１２ｂの交差角度θ２よりも大きな角度（θ１＞θ２）で立ち上げて上端をフランジ部１４に一体に連結してなり、長手辺側壁１２ｂの両リブ１６、１６間に幅広に設けられている。凹面部１７の内面上端にはテーパ状の切り欠き部１７ａが設けてある。凹面部１７は、底部１１から長手辺側壁１２ｂよりも緩やかな傾斜角度で立ち上がって長手辺側壁１２ｂとの間で凹段部を形成しているので、コンテナ１同士をネスティングしても上側コンテナ１の凹面部１７外面と下側コンテナ１の凹面部１７内面は接することなく適宜な幅の隙間を形成し、カード差し２を挿入して取り付けても邪魔にならない広さの間隙が確保されるようになっている。
【００１０】
また、凹面部１７上方のフランジ部１４の下部には、カード差し２の上部が係合する取り付け部１８、１８が設けてある。この取り付け部１８は、図３に示されるように、後述するカード差し２の上部に形成された突状フック２５が下側から係合してカード差し２をフランジ部１４の下方に吊るす開口部からなっており、突状フック２５が係合した状態でカード差し２の上部が凹面部１７に沿って湾曲しやすいよう、凹面部１７から間隔αだけ離した位置に設置されている。
【００１１】
また、凹面部１７の下部には、カード差し２の下部が係合する取り付け部１９、１９が設けてある。この取り付け部１９は、後述するカード差し２の下部に形成された係合突起２６が係入する貫通孔からなり、前記取り付け部１８に上部を係合してフランジ部１４の下方に吊下させたカード差し２の下部を揺動不能に固定できるようになっている。
【００１２】
カード差し２は、プラスチックなどの可撓性を有する材料を用い、高さが凹面部１７の全高の２／３程度及び幅が凹面部１７の略同じ成形寸法を有する弾性変形可能な薄い板枠状に形成されている。
詳しくは、図４及び図５に示されるように、カード差し２は横に延びた基部２１の上面にアーチ形の支持片部２２と連結片２３、２３とを突設した櫛歯形状を呈し、両部の間に差し入れた矩形横長の表示カード３を狭持状態で保持できるようになっている。連結片２３、２３は、前記凹面部１７の上下に設けられた取り付け部１８、１９間の距離（Ｌ１、図６参照）よりも若干大きな長さ（Ｌ２＞Ｌ１）に形成されており、その上端は、適宜な角度で前方に折れ曲がっていて上面に前記取り付け部１８に係合する突状フック２５を設けた折片部２４となっている。この折片部２４の連結片２３に対する折れ曲がり角度θ３は、前述の底部１１に対する凹面部１７の立ち上がり角度θ１よりも大きく（θ３＞θ１）設定してある。さらに、基部２１の両側下部には前記取り付け部１９に係合する係合突起２６、２６が設けてある。
【００１３】
本発明のカード差し取り付け構造は、このように構成されたコンテナ１及びカード差し２に適用され、カード差し２は、突状フック２５を取り付け部１８に、係合突起２６を取り付け部１９にそれぞれ係合させてコンテナ１の側壁１２に取り付けられる。取り付けられたカード差し２は、自身の弾性によって、その上部が凹面部１７側に湾曲するとともに湾曲した部分から下部に至る部分は凹面部１７側に反りかえった形状に保形され、その裏面が凹面部１７の表面に押し付けられて略面一に隙間なく接合し、また、カード差し２の表面側に差し入れた表示カード３も凹面部１７の表面に接合して支持される。
【００１４】
すなわち、カード差し２と表示カード３は凹面部１７の表面に接合して取り付けられ、コンテナ１同士をネスティングしたときに上側コンテナ１の凹面部１７外面と下側コンテナ１の凹面部１７内面間に確保される隙間に納まるため、コンテナ１を積み重ねる際に邪魔になるようなことはなく、これらを取り付けたままコンテナ１を多段に安定して積み重ねることができる。この際、凹面部１７の内面上端にテーパ状の切り欠き部１７ａが設けてあるので、仮に上側コンテナ１に取り付けられたカード差し２が若干浮いていたとしても、切り欠き部１７ａからスムーズに下側コンテナ１の開口部１３内に挿入されて凹面部１７内面に引っかかって取り外れるようなことはない。従って、表示カード３の取り付けスペースを、リブ１６の高さの範囲内に制限されていた従来のものよりも大きく確保することができ、記入情報が読み取りやすい大きな表示カード３をコンテナ１に取り付けて利用することができる。
【００１５】
なお、図示したコンテナ及びカード差しは一例であり、本発明はネスティング可能に形成された様々な寸法及び形態のコンテナやカード差しに適用することができる。
【００１６】
【発明の効果】
本発明によれば、ネスティング構造のコンテナの側壁に表示面積の大きい表示カードを取り付け、そのままコンテナ同士を多段に積み重ねることができる。
【図面の簡単な説明】
【図１】本発明を適用してコンテナに取り付けたカード差しに表示カードを差し入れた状態の一例の外観図である。
【図２】図１のコンテナの外観図である。
【図３】コンテナフランジ部に設けた取り付け部の部分拡大切断端面図である。
【図４】図１のカード差しの外観図である。
【図５】図４のカード差しの拡大縦断面図である。
【図６】コンテナの側壁にカード差しを取り付けた状態を拡大断面で示した図である。
【図７】従来のコンテナの一例の外観図である。
【図８】表示カードを取り付けた従来のコンテナをネスティングした状態の外観図である。
【符号の説明】
１　コンテナ、１１　底部、１２　側壁、１３　開口部、１４　フランジ部、１５　載置バー、１６　リブ、１７　凹面部、１８　取り付け部、１９　取り付け部、２　カード差し、２１　基部、２２　支持片部、２３　連結片、２４　折片部、２５　突状フック、２６係合突起、３　表示カード
【図１】
2004091027.tif 000003
【図２】
2004091027.tif 000004
【図３】
2004091027.tif 000005
【図４】
2004091027.tif 000006
【図５】
2004091027.tif 000007
【図６】
2004091027.tif 000008
【図７】
2004091027.tif 000009
【図８】
2004091027.tif 000010